(57)【要約】【課題】空気調和機と、換気装置と、これら装置を連動させる制御部とを備えた空気調和システムにおいて、設定温度の設定変更に起因して室温が設定温度に近づくまでの時間が長くなるといった事象の発生を抑制することができる空気調和システムを提供する。【解決手段】空気調和システムは、空気調和機と、換気装置と、空気調和機の運転と換気装置の運転とを連動させる制御部とを備える。暖房運転中、設定温度ＴＳが設定変更前の設定温度ＴＳｂよりも高くかつ室温ＴＲよりも高い温度に設定変更されるとき、制御部は、基準換気量よりも小さい換気量で換気抑制期間にわたって換気するように、換気装置を動作させる。冷房運転中、設定温度ＴＳが設定変更前の設定温度ＴＳｂよりも低くかつ室温ＴＲよりも低い温度に設定変更されるとき、制御部は、基準換気量よりも小さい換気量で換気抑制期間にわたって換気するように、換気装置を動作させる。【選択図】図８
2014149139.tif 000002
【特許請求の範囲】
【請求項１】
設定温度(TS)に基づいて室温を調整する空気調和機(1)と、全熱交換器(30)を通じて室内空気と室外空気とを入れ換える換気装置(2)と、前記空気調和機(1)の運転と前記換気装置(2)の運転とを連動させる制御部(43)とを備えた空気調和システムにおいて、
暖房運転中、前記設定温度(TS)が設定変更前の設定温度(TSb)よりも高くかつ室温よりも高い温度に設定変更されるとき、前記制御部(43)は、基準換気量(X)よりも小さい換気量で換気抑制期間にわたって換気するように、前記換気装置(2)を動作させ、
冷房運転中、前記設定温度(TS)が設定変更前の設定温度(TSb)よりも低くかつ室温よりも低い温度に設定変更されるとき、前記制御部(43)は、基準換気量(X)よりも小さい換気量で換気抑制期間にわたって換気するように、前記換気装置(2)を動作させる
ことを特徴とする空気調和システム。
【請求項２】
請求項１に記載の空気調和システムにおいて、
暖房運転中、前記設定温度(TS)が設定変更前の設定温度(TSb)よりも高くかつ室温よりも高い温度に設定変更されるとき、前記制御部(43)は、設定変更後の前記設定温度(TSa)から設定変更前の前記設定温度(TSb)を引いて得た値が大きい程前記換気抑制期間を長い時間に設定し、
冷房運転中、前記設定温度(TS)が設定変更前の設定温度(TSb)よりも低くかつ室温よりも低い温度に設定変更されるとき、前記制御部(43)は、設定変更後の前記設定温度(TSa)から設定変更前の前記設定温度(TSb)を引いて得た値が小さい程前記換気抑制期間を長い時間に設定する
ことを特徴とする空気調和システム。
【請求項３】
設定温度(TS)に基づいて室温を調整する空気調和機(1)と、全熱交換器を通じて室内空気と室外空気とを入れ換える１台の換気装置(2)と、前記空気調和機(1)の運転と前記換気装置(2)の運転とを連動させる制御部(43)とを備えた空気調和システムにおいて、
前記空気調和機(1)は、複数台の室内ユニット(10)と少なくとも１台の室外ユニット(20)とを備え、前記室内ユニット(10)に備え付けられているリモートコントローラ(16)のそれぞれにより前記設定温度(TS)の設定が可能とされているものであり、
前記制御部(43)は、所定周期毎に、前記室内ユニット(10)のそれぞれについて、所定周期の始期の前記設定温度を始期設定温度(TSs)として設定し、所定周期の終期の前記設定温度を終期設定温度(TSe)として設定し、前記終期設定温度(TSe)から前記始期設定温度(TSs)を引いて得られる値を設定温度変化量（ΔTY）として設定し、かつ前記室内ユニット(10)のそれぞれが検出する室温についての平均値を平均室温(TRa)として算出するものであり、
暖房運転中、前記室内ユニット(10)それぞれの前記設定温度変化量（ΔTY）の総和が第１判定値よりも大きく、かつ前記終期設定温度(TSe)の平均値が前記平均室温(TRa)よりも高いとき、前記制御部(43)は、基準換気量(X)よりも小さい換気量で換気抑制期間にわたって換気するように、前記換気装置(2)を動作させ、
冷房運転中、前記室内ユニット(10)それぞれの前記設定温度変化量（ΔTY）の総和が第２判定値よりも小さく、かつ前記終期設定温度(TSe)の平均値が前記平均室温(TRa)よりも低いとき、前記制御部(43)は、基準換気量(X)よりも小さい換気量で換気抑制期間にわたって換気するように、前記換気装置(2)を動作させる
ことを特徴とする空気調和システム。
【請求項４】
請求項３に記載の空気調和システムにおいて、
暖房運転中、前記室内ユニット(10)それぞれの前記設定温度変化量(ΔTY)の総和が前記第１判定値よりも大きく、かつ前記終期設定温度(TSe)の平均値が前記平均室温(TRa)よりも高いとき、前記設定温度変化量(ΔTY)の総和が大きい程、前記換気抑制期間を長い時間に設定し、
冷房運転中、前記室内ユニット(10)それぞれの前記設定温度変化量(ΔTY)の総和が前記第２判定値よりも小さく、かつ前記終期設定温度(TSe)の平均値が前記平均室温(TRa)よりも低いとき、前記設定温度変化量(ΔTY)の総和が小さい程、前記換気抑制期間を長い時間に設定する
ことを特徴とする空気調和システム。
【請求項５】
設定温度(TS)に基づいて室温を調整する複数台の空気調和機(1)と、全熱交換器を通じて室内空気と室外空気とを入れ換える１台の換気装置(2)と、前記空気調和機(1)の運転と前記換気装置(2)の運転とを連動させる制御部(43)とを備えた空気調和システムにおいて、
前記空気調和機(1)は、複数台の室内ユニット(10)と少なくとも１台の室外ユニット(20)とを備え、前記室内ユニット(10)に備え付けられているリモートコントローラ(16)のそれぞれにより前記設定温度(TS)の設定が可能とされているものであり、
前記制御部(43)は、所定周期毎に、前記室内ユニット(10)のそれぞれについて、所定周期の始期の前記設定温度を始期設定温度(TSs)として設定し、所定周期の終期の前記設定温度を終期設定温度(TSe)として設定するものであり、更に、前記制御部(43)は、所定周期毎に、前記室内ユニット(10)のそれぞれについて前記設定温度(TS)の変化の有無を検出するものであり、
暖房運転中、これら室内ユニット(10)のうち半数以上の前記室内ユニット(10)について、同周期に、前記設定温度(TS)が設定変更前の設定温度(TSb)よりも高い温度に設定変更され、かつ前記終期設定温度(TSe)の平均値が前記始期設定温度(TSs)の平均値よりも高いとき、基準換気量(X)よりも小さい換気量で換気抑制期間にわたって換気するように、前記換気装置(2)を動作させ、
冷房運転中、これら室内ユニット(10)のうち半数以上の前記室内ユニット(10)について、同周期に、前記設定温度(TS)が設定変更前の設定温度(TSb)よりも低い温度に設定変更され、かつ前記終期設定温度(TSe)の平均値が前記始期設定温度(TSs)の平均値よりも低いとき、基準換気量(X)よりも小さい換気量で換気抑制期間にわたって換気するように、前記換気装置(2)を動作させる
ことを特徴とする空気調和システム。
【発明の詳細な説明】
【技術分野】
【０００１】
本発明は、空気調和機と換気装置とが連動する空気調和システムに関する。
【背景技術】
【０００２】
空気調和機と換気装置とが連動する空気調和システムとして、例えば特許文献１に記載の技術が知られている。
この技術では、空気調和機と換気装置とが一つの筐体内に収容されている。そして、空気調和機のリモートコントローラにより設定される設定温度と室温との差及びこの差の時間変化に基づいて、空調用送風機の送風量を変化させる。
【先行技術文献】
【特許文献】
【０００３】
【特許文献１】特開２００４−３８６６号公報
【発明の概要】
【発明が解決しようとする課題】
【０００４】
ところで、空気調和機と換気装置とを連動させて制御する空気調和システムにおいては、空気調和機の運転中に、リモートコントローラにより温度設定を変更することがある。この場合、換気装置を連動させて外気を取り入れることに起因して、空気調和機の負荷が過大になることがある。このとき、空気調和機の負荷が適正であるときに比べて、室温が設定温度に近づくまでの時間が長くなる。
【０００５】
本発明はこのような実情に鑑みてなされたものであり、その目的は、空気調和機と、換気装置と、これら装置を連動させる制御部とを備えた空気調和システムにおいて、設定温度の設定変更に起因して室温が設定温度に近づくまでの時間が長くなるといった事象の発生を抑制することができる空気調和システムを提供することにある。
【課題を解決するための手段】
【０００６】
上記課題を解決する空気調和システムは、設定温度に基づいて室温を調整する空気調和機と、全熱交換器を通じて室内空気と室外空気とを入れ換える換気装置と、前記空気調和機の運転と前記換気装置の運転とを連動させる制御部とを備える。暖房運転中、前記設定温度が設定変更前の設定温度よりも高くかつ室温よりも高い温度に設定変更されるとき、前記制御部は、基準換気量よりも小さい換気量で換気抑制期間にわたって換気するように、前記換気装置を動作させる。冷房運転中、前記設定温度が設定変更前の設定温度よりも低くかつ室温よりも低い温度に設定変更されるとき、前記制御部は、基準換気量よりも小さい換気量で換気抑制期間にわたって換気するように、前記換気装置を動作させる。
【０００７】
使用者は、空気調和機の暖房運転中、リモートコントローラで設定温度を変更することがある。例えば、使用者は、暖房運転中に寒さを感じるとき、室内の急速暖房を望む。このようなとき、使用者は、設定温度を、その時に設定されている温度よりも高めに変更する。このため、空気調和機の暖房負荷が増大する。
【０００８】
一方、空気調和システムでは、空気調和機と換気装置とを連動させて、室外空気を取り入れる。暖房運転時は室外温度が室温よりも低い場合が多いため、室外空気を給気することにより室内空気が冷却される。すなわち、空気調和機と換気装置とを連動させるとき、室温を設定温度に維持するためには、室外空気を設定温度まで上昇させる熱量が必要になる。この熱量が空気調和機の暖房負荷になる。
【０００９】
暖房運転中に設定温度が、更に高い温度に設定変更されるとき、室内空気の加熱に必要な暖房負荷の増大と換気による暖房負荷との合計が空気調和機の能力を超え、暖房負荷が過大になることがある。この場合、空気調和機の能力不足により、使用者の要求とは逆に、室温が設定温度に到達するまでの時間が長くなる。
【００１０】
このような事象は、冷房運転においても同様に生じる。
例えば、使用者が室内の急速冷房を望むとき、設定温度を低めに再設定する。このとき、空気調和機の冷房負荷が増大する。一方、従来の空気調和システムでは空気調和機の運転とともに換気装置が連動させているため、室外空気が室内に取り入れられるが、冷房運転時は室外温度が室温よりも高い場合が多いことから、室外空気の給気することにより室内空気が暖められ、空気調和機の冷房負荷が増大する。すなわち、冷房運転中に設定温度が更に低い温度に設定変更されるとき、室内空気の冷却に必要な冷房負荷の増大と換気による冷房負荷との合計が空気調和機の能力を超え、冷房負荷が過大になることがある。この場合、室温が設定温度に到達するまでに要する時間は使用者の要求とは逆に長くなる。
【００１１】
これに対して、上記構成によれば、暖房運転中では、設定温度が設定変更前の設定温度よりも高くかつ室温よりも高い温度に設定変更されるとき、換気量を基準換気量よりも小さくする。すなわち、暖房負荷が過大になるおそれがあるときに、換気を抑制する。
【００１２】
また、冷房運転中では、設定温度が設定変更前の設定温度よりも低くかつ室温よりも低い温度に設定変更されるとき、換気量を基準換気量よりも小さくする。すなわち、冷房負荷が過大になるおそれがあるときに、換気を抑制する。
【００１３】
以上により、空気調和機の暖房運転中または冷房運転中に、設定温度の設定変更に起因して室温が設定温度に近づくまでの時間が長くなるといった事象の発生を抑制することができる。
【００１４】
上記構成の空気調和システムにおいて、暖房運転中、前記設定温度が設定変更前の設定温度よりも高くかつ室温よりも高い温度に設定変更されるとき、前記制御部は、設定変更後の前記設定温度から設定変更前の前記設定温度を引いて得た値が大きい程前記換気抑制期間を長い時間に設定し、冷房運転中、前記設定温度が設定変更前の設定温度よりも低くかつ室温よりも低い温度に設定変更されるとき、前記制御部は、設定変更後の前記設定温度から設定変更前の前記設定温度を引いて得た値が小さい程前記換気抑制期間を長い時間に設定する。
【００１５】
すなわち、空気調和機の暖房運転中では、暖房負荷が増大するほど換気抑制期間を長くする。空気調和機の冷房運転中では、冷房負荷が増大するほど換気抑制期間を長くする。これにより、換気抑制期間が適切に設定されるため、換気抑制期間を負荷に関係なく一律に長い期間設定する場合に比べて、換気不足になることを抑制することができる。
【００１６】
上記課題を解決する空気調和システムは、設定温度に基づいて室温を調整する空気調和機と、全熱交換器を通じて室内空気と室外空気とを入れ換える１台の換気装置と、前記空気調和機の運転と前記換気装置の運転とを連動させる制御部とを備える。前記空気調和機は、複数台の室内ユニットと少なくとも１台の室外ユニットとを備え、前記室内ユニットに備え付けられているリモートコントローラのそれぞれにより前記設定温度の設定が可能とされている。前記制御部は、所定周期毎に、前記室内ユニットのそれぞれについて、所定周期の始期の前記設定温度を始期設定温度として設定し、所定周期の終期の前記設定温度を終期設定温度として設定し、前記終期設定温度から前記始期設定温度を引いて得られる値を設定温度変化量として設定し、かつ前記室内ユニットのそれぞれが検出する室温についての平均値を平均室温として算出する。暖房運転中、前記室内ユニットそれぞれの前記設定温度変化量の総和が第１判定値よりも大きく、かつ前記終期設定温度の平均値が前記平均室温よりも高いとき、前記制御部は、基準換気量よりも小さい換気量で換気抑制期間にわたって換気するように、前記換気装置を動作させる。冷房運転中、前記室内ユニットそれぞれの前記設定温度変化量の総和が第２判定値よりも小さく、かつ前記終期設定温度の平均値が前記平均室温よりも低いとき、前記制御部は、基準換気量よりも小さい換気量で換気抑制期間にわたって換気するように、前記換気装置を動作させる。
【００１７】
この技術は、１台の換気装置に対して複数台の室内ユニットが設けられている空気調和システムにおける換気抑制制御である。
室内ユニットのそれぞれは、独立して動作するため、これらの室内ユニットのうちから換気装置と連動させる装置を一台選択して、選択した室内ユニットと換気装置とを連動させて、換気抑制を実行させることは可能である。しかし、この場合その効果が生じないこともある。そこで、上記のように、所定周期毎に、室内ユニットのそれぞれについて、所定周期の終期の設定温度から所定周期の始期の設定温度を引いて得られる値を設定温度変化量として設定する。そして、各室内ユニットについての設定温度変化量の総和や各室内ユニットについての終期設定温度の平均値に基づいて、換気量を抑制するか否かを判定する。これにより、個々のリモートコントローラにおいて独立して設定温度の設定変更されることにより様々な大きさで発生する空調負荷に対し、空調負荷が過大か否かについて適切に判定することができるため、設定温度の設定変更に起因して室温が設定温度に近づくまでの時間が長くなるといった事象の発生を抑制する確度を高くすることができる。
【００１８】
上記構成の空気調和システムにおいて、暖房運転中、前記室内ユニットそれぞれの前記設定温度変化量の総和が前記第１判定値よりも大きく、かつ前記終期設定温度の平均値が前記平均室温よりも高いとき、前記設定温度変化量の総和が大きい程、前記換気抑制期間を長い時間に設定する。冷房運転中、前記室内ユニットそれぞれの前記設定温度変化量の総和が前記第２判定値よりも小さく、かつ前記終期設定温度の平均値が前記平均室温よりも低いとき、前記設定温度変化量の総和が小さい程、前記換気抑制期間を長い時間に設定する。
【００１９】
すなわち、空気調和機の暖房運転中では、暖房負荷が増大するほど換気抑制期間を長くする。空気調和機の冷房運転中では、冷房負荷が増大するほど換気抑制期間を長くする。これにより、換気抑制期間が適切に設定されるため、換気抑制期間を負荷に関係なく一律に長い期間設定する場合に比べ、換気量の低減を少なくすることができる。
【００２０】
上記課題を解決する空気調和システムは、リモートコントローラにより設定される設定温度に基づいて室温を調整する複数台の空気調和機と、全熱交換器を通じて室内空気と室外空気とを入れ換える１台の換気装置と、前記空気調和機の運転と前記換気装置の運転とを連動させる制御部とを備える。前記空気調和機は、複数台の室内ユニットと少なくとも１台の室外ユニットとを備え、前記室内ユニットに備え付けられているリモートコントローラのそれぞれにより前記設定温度の設定が可能とされている。前記制御部は、所定周期毎に、前記室内ユニットのそれぞれについて、所定周期の始期の前記設定温度を始期設定温度として設定し、所定周期の終期の前記設定温度を終期設定温度として設定するものであり、更に、前記制御部は、所定周期毎に、前記室内ユニットのそれぞれについて前記設定温度の変化の有無を検出する。暖房運転中、これら室内ユニットのうち半数以上の前記室内ユニットについて、同周期に、前記設定温度が設定変更前の設定温度よりも高い温度に設定変更され、かつ前記終期設定温度の平均値が前記始期設定温度の平均値よりも高いとき、基準換気量よりも小さい換気量で換気抑制期間にわたって換気するように、前記換気装置を動作させる。冷房運転中、これら室内ユニットのうち半数以上の前記室内ユニットについて、同周期に、前記設定温度が設定変更前の設定温度よりも低い温度に設定変更され、かつ前記終期設定温度の平均値が前記始期設定温度の平均値よりも低いとき、基準換気量よりも小さい換気量で換気抑制期間にわたって換気するように、前記換気装置を動作させる。
【００２１】
この技術は、１台の換気装置に対して複数台の室内ユニットが設けられている空気調和システムにおける換気抑制制御である。
上記構成では、所定周期毎に室内ユニットのそれぞれについて設定温度の変化の有無を検出する。そして、これら室内ユニットのうち半数以上の室内ユニットについて、同周期に、設定温度が設定変更前の設定温度よりも高い温度（または低い温度）に設定変更されることに基づいて、換気を抑制するか否かを判定する。このような方法では、個々の室内ユニットにおいて独立して設定温度の設定変更されることにより様々な大きさで発生する空調負荷に対し、空調負荷が過大か否かについて適切に判定することができるため、これら設定温度の設定変更に起因して室温が設定温度に近づくまでの時間が長くなるといった事象の発生を抑制する確度を高くすることができる。
【発明の効果】
【００２２】
上記構成の空気調和システムは、設定温度の設定変更に基づいて換気量を制御する。これにより、設定温度の設定変更に起因して室温が設定温度に近づくまでの時間が長くなるといった事象の発生を抑制することができる。
【図面の簡単な説明】
【００２３】
【図１】空気調和システムの模式図。
【図２】図２（ａ）は、暖房運転時における設定温度の設定変更を示す模式図、図２（ｂ）は、冷房運転時における設定温度の設定変更を示す模式図。
【図３】暖房運転時の「換気設定処理」の処理手順を示すフローチャート。
【図４】冷房運転時の「換気設定処理」の処理手順を示すフローチャート。
【図５】暖房運転時、抑制モードにおいて換気量を設定するためのマップ。
【図６】冷房運転時、抑制モードにおいて換気量を設定するためのマップ。
【図７】図７（ａ）は、暖房運転時、抑制モードにおいて換気抑制期間を設定するためのマップ、図７（ｂ）は、冷房運転時、抑制モードにおいて換気抑制期間を設定するためのマップ。
【図８】設定温度、室温、温度差、換気量、及び暖房負荷の時間変化を示す図。
【図９】空気調和システムの変形例を示す模式図。
【図１０】空気調和システムの変形例を示す模式図。
【発明を実施するための形態】
【００２４】
（第１実施形態）
図１を参照して、空気調和システムの一例を説明する。
空気調和システムは、空気調和機１と換気装置２とを備えている。
【００２５】
空気調和機１と換気装置２は、側壁５１や天井壁５０により仕切られた領域Ｓに対して設けられる。例えば、天井壁５０及び側壁５１により仕切られた領域Ｓを有する部屋に、空気調和機１と換気装置２とが設置される。空気調和機１は、この領域Ｓの温度調整を行い、換気装置２はこの領域Ｓの換気を行う。なお、領域Ｓは「室内」を意味する。
【００２６】
空気調和機１について説明する。
空気調和機１は、室内ユニット１０と室外ユニット２０とを備えている。
室内ユニット１０は、冷媒を膨張する膨張弁１１と、室内側熱交換器１２と、室内ファン１３と、室内ユニット制御装置１５と、空気の吸込口１７ａ及び吹出口１７ｂを有する筐体１７とを備えている。室内ファン１３の吸込側付近には、室温ＴＲを測定するための温度センサ１４が設けられている。
【００２７】
室内ユニット制御装置１５は、リモートコントローラ１６により設定された設定温度ＴＳに基づいて膨張弁１１及び室内ファン１３を制御する。また、室内ユニット制御装置１５は、リモートコントローラ１６により設定された設定情報（例えば、設定温度ＴＳ）及び空気調和機１が検出した室温ＴＲ等の温度情報を換気装置２に送信する。
【００２８】
室外ユニット２０は、冷媒を圧縮する圧縮機２１と、室外側熱交換器２２と、室外ファン２３と、四路切換弁２４と、圧縮機２１を制御する室外ユニット制御装置２５と、冷媒中の潤滑油を分離するための油分離器２６とを備えている。これら装置２１〜２６は筐体２７に収容されている。
【００２９】
なお、膨張弁１１、室内側熱交換器１２、四路切換弁２４、圧縮機２１、油分離器２６、及び室外側熱交換器２２はそれぞれ冷媒配管４１により接続され、単一の冷媒回路を構成する。
【００３０】
空気調和機１は、冷房運転、送風運転及び暖房運転を行う。
冷房運転では、室内側熱交換器１２を蒸発器として作用させ、室外側熱交換器２２を凝縮器として作用させる。具体的には、室外ユニット制御装置２５は、圧縮機２１、室外側熱交換器２２、膨張弁１１、室内側熱交換器１２の順に冷媒が循環するように四路切換弁２４の弁体の位置を切り換える。なお、図１において四路切換弁２４を示す部分の実線は、この切り換え後の配管接続状態を示す。
【００３１】
送風運転では、室内ユニット制御装置１５は室内ファン１３を運転制御し、室外ユニット制御装置２５は圧縮機２１及び室外ファン２３それぞれの運転を停止させる。
暖房運転では、室内側熱交換器１２を凝縮器として作用させ、室外側熱交換器２２を蒸発器として作用させる。具体的には、室外ユニット制御装置２５は、圧縮機２１、室内側熱交換器１２、膨張弁１１、室外側熱交換器２２の順に冷媒が循環するように四路切換弁２４の弁体の位置を切り換える。なお、図１において四路切換弁２４を示す部分の破線は、この切り換え後の配管接続状態を示す。
【００３２】
次に、換気装置２について説明する。
換気装置２は、室内空気と室外空気との間で熱交換させる全熱交換器３０と、室外空気を室内に給気する給気ファン３１と、室内空気を排気する排気ファン３２と、換気制御装置３６と、これら装置を収容する筐体３３とを備えている。
【００３３】
筐体３３には、室外空気を取り入れる外気吸入口３３ａ、室外空気を室内に送り出す外気給気口３３ｂ、室内空気を取り入れる内気吸入口３３ｃ、室内空気を室外に送り出す内気排気口３３ｄが設けられている。
【００３４】
内気吸入口３３ｃの付近には、二酸化炭素センサ３５が取り付けられている。二酸化炭素センサ３５は、吸入された室内空気の二酸化炭素センサ３５の濃度に応じた信号を換気制御装置３６に出力する。
【００３５】
外気吸入口３３ａには室外空気を筐体３３に取り入れる外気吸入管３４ａが設けられている。外気給気口３３ｂには室外空気を室内に供給する供給管３４ｂが設けられている。
内気吸入口３３ｃには室内空気を筐体３３に取り入れる内気吸入管３４ｃが設けられている。内気排気口３３ｄには室内空気を室外に排気する排気管３４ｄが設けられている。
【００３６】
全熱交換器３０は、室内空気と室外空気との間で顕熱及び潜熱の熱交換を行わせる。
換気制御装置３６は、換気装置２の運転を制御するものであって、次のように換気装置２の換気量を制御する。
【００３７】
換気装置２は換気量を２段階で制御する。
・換気量が最も大きい設定を「Ｈモード」という。
・「Ｈモード」の換気量よりが小さい換気量の設定を「Ｌモード」という。
【００３８】
Ｈモードでは、換気量は設定値Ｈに設定される。Ｌモードでは換気量は設定値Ｌに設定される。Ｌモードにおける換気量は基準換気量Ｘよりも小さい。基準換気量Ｘは、換気を行ったとき、空気調和機１の空調能力に影響を与えない程度に、小さい値に設定されている。
【００３９】
また、換気制御装置３６は、空気調和機１から出力される設定情報（例えば、設定温度ＴＳ）及び温度情報（例えば、室温ＴＲ）並びに設定温度ＴＳの設定変更があったことに基づいて、換気量を制御する。
【００４０】
次に、空気調和機１と換気装置２との間で情報交換させるための通信装置４２について説明する。
通信装置４２は、通信制御する制御部４３と、室内ユニット制御装置１５と換気制御装置３６とを接続する通信回線４４とを備えている。通信装置４２は、空気調和機１から出力される設定情報及び温度情報を取得し、これら情報に基づいて所定の判定を行う。そして、この判定に基づいて換気装置２を制御するための制御信号を形成し、この制御信号を換気装置２に送信する。なお、図１では、通信回線４４を有線で示しているが、通信回線４４を無線で構成してもよい。
【００４１】
図２を参照し、設定温度ＴＳの設定変更の態様について説明する。
図２（ａ）に示すように、暖房運転開始時または暖房運転中に、設定温度ＴＳが変更されることがある。
【００４２】
例えば、使用者が寒さを感じるときや使用者が室温ＴＲを迅速に高くしたいと望むとき、空気調和機１の使用者は、設定温度ＴＳを高い値に再設定される。この場合、設定変更前に比べると、設定温度ＴＳと室温ＴＲとの温度差ΔＴＡが拡大するため、空気調和機１の暖房負荷が増大する。
【００４３】
このように設定変更されたとき、通常モードで換気が行われているとすると、空気調和機１の暖房負荷は、空気調和機１の能力を超えて大きくなることがある。設定温度ＴＳを高めに設定変更する場合は、室外温度と室温ＴＲとの差が大きいときが多いため、換気を行うことにより、室温ＴＲが低下し、暖房負荷が過大になる。空気調和機１の能力に対して暖房負荷が過大になるとき、室温ＴＲの温度上昇率が小さくなり、室温ＴＲが設定温度ＴＳに近づくまでの時間が長くなるといった問題が生じる。
【００４４】
図２（ｂ）を参照して、冷房運転時における設定温度ＴＳの設定変更の態様について説明する。
例えば、使用者が暑さを感じるときや使用者が室温ＴＲを迅速に低くしたいと望むとき、空気調和機１の使用者は、設定温度ＴＳを低い値に再設定する。この場合、設定変更前に比べると、設定温度ＴＳと室温ＴＲとの温度差ΔＴＡが拡大するため、空気調和機１の冷房負荷が増大する。
【００４５】
このように設定変更されたとき、通常モードで換気が行われているとすると、空気調和機１の冷房負荷は、空気調和機１の能力を超えて大きくなることがある。設定温度ＴＳを低めに設定変更する場合は、室外温度と室温ＴＲとの差が大きいときが多いため、換気を行うことにより、室温ＴＲが上昇し、冷房負荷が過大になる。空気調和機１の能力に対して冷房負荷が過大になるとき、室温ＴＲの温度低下率が小さくなり、室温ＴＲが設定温度ＴＳに近づくまでの時間が長くなるといった問題が生じる。
【００４６】
このような事情から、本空気調和システムでは、空気調和機１の温度設定の設定変更が行われることに基づいて、換気量の大きさを変更する。以下、暖房運転時および冷房運転時において実行される換気設定処理について説明する。
【００４７】
図３を参照して、暖房運転時に制御部４３が実行する「換気設定処理」について説明する。
なお、制御部４３は、暖房運転中、所定周期で「換気設定処理」を実行する。
【００４８】
ステップＳ１１０において、空気調和機１において、リモートコントローラ１６により設定温度ＴＳが設定変更されたか否か判定される。この判定で肯定判定（ＹＥＳ判定）されたとき、すなわち、設定温度ＴＳが設定変更が行われた旨の判定が行われるとき、次のステップＳ１２０に移行する。なお、この判定で否定判定（ＮＯ判定）されるとき、ステップＳ１５０に移行し、「通常モード」で換気する旨の決定を行う。
【００４９】
ステップＳ１２０において、設定変更前の設定温度ＴＳｂと設定変更後の設定温度ＴＳａとが比較される。そして、設定変更後の設定温度ＴＳａが設定変更前の設定温度ＴＳｂよりも大きいとき（ＹＥＳ判定）、次のステップＳ１３０に移行する。一方、設定変更後の設定温度ＴＳａが設定変更前の設定温度ＴＳｂ以下であるときは（ＮＯ判定）、ステップＳ１５０に移行し、「通常モード」で換気する旨の決定を行う。
【００５０】
ステップＳ１３０において、設定変更後の設定温度ＴＳａが室温ＴＲよりも大きいか否かについて判定される。そして、設定変更後の設定温度ＴＳａが室温ＴＲよりも大きいとき（ＹＥＳ判定）、ステップＳ１４０に移行して、「抑制モード」で換気する旨の決定をする。一方、設定変更後の設定温度ＴＳが室温ＴＲ以下のときは（ＮＯ判定）、ステップＳ１５０に移行し、「通常モード」で換気する旨の決定を行う。
【００５１】
すなわち、設定温度ＴＳが設定変更されて、設定変更後の設定温度ＴＳａが設定前の設定温度ＴＳｂよりも大きく、かつ設定変更後の設定温度ＴＳａが室温ＴＲよりも大きいとき、「抑制モード」で換気を行う。「設定変更後の設定温度ＴＳａが設定前の設定温度ＴＳｂよりも大きい」という条件は、暖房負荷増大を意味する。「設定変更後の設定温度ＴＳａが室温ＴＲよりも大きい」という条件は、暖房負荷が存在することを意味する。
【００５２】
このような「換気設定処理」を周期的に実行することにより、暖房負荷の変化を把握する。そして、暖房負荷が増大するときは「通常モード」から「換気抑制モード」に切り換えて換気を行うことにより、空気調和機１の暖房負荷を軽減する。
【００５３】
図４を参照して、冷房運転時に制御部４３が実行する「換気設定処理」について説明する。
なお、制御部４３は、冷房運転中、所定周期で「換気設定処理」を実行する。
【００５４】
ステップＳ２１０において、空気調和機１において、リモートコントローラ１６により設定温度ＴＳが設定変更されたか否か判定される。この判定で肯定判定（ＹＥＳ判定）されたとき、すなわち、設定温度ＴＳが設定変更が行われた旨の判定が行われるとき、次のステップＳ２２０に移行する。なお、この判定で否定判定（ＮＯ判定）されるとき、ステップＳ２５０に移行し、「通常モード」で換気する旨の決定を行う。なお、当該判定時、「通常モード」の実行中は、そのモードが維持される。
【００５５】
ステップＳ２２０において、設定変更前の設定温度ＴＳｂと設定変更後の設定温度ＴＳａとが比較される。そして、設定変更後の設定温度ＴＳａが設定変更前の設定温度ＴＳｂよりも小さいとき（ＹＥＳ判定）、次のステップＳ２３０に移行する。一方、設定変更後の設定温度ＴＳａが設定変更前の設定温度ＴＳｂ以上であるときは（ＮＯ判定）、ステップＳ２５０に移行し、「通常モード」で換気する旨の決定を行う。
【００５６】
ステップＳ２３０において、設定変更後の設定温度ＴＳａが室温ＴＲよりも小さいか否かについて判定される。そして、設定変更後の設定温度ＴＳａが室温ＴＲよりも小さいとき（ＹＥＳ判定）、ステップＳ２４０に移行して、「抑制モード」で換気する旨の決定をする。一方、設定変更後の設定温度ＴＳａが室温ＴＲ以上のときは（ＮＯ判定）、ステップＳ２５０に移行し、「通常モード」で換気する旨の決定を行う。
【００５７】
すなわち、設定温度ＴＳが設定変更されて、設定変更後の設定温度ＴＳａが設定前の設定温度ＴＳｂよりも小さく、かつ設定変更後の設定温度ＴＳａが室温ＴＲよりも小さいとき、「抑制モード」で換気を行う。「設定変更後の設定温度ＴＳａが設定前の設定温度ＴＳｂよりも小さい」という条件は、冷房負荷増大を意味する。「設定変更後の設定温度ＴＳａが室温ＴＲよりも小さい」という条件は、冷房負荷が存在することを意味する。
【００５８】
このような「換気設定処理」を周期的に実行することにより、冷房負荷の変化を把握する。そして、冷房負荷が増大するときは「通常モード」から「換気抑制モード」に切り換えて換気を行うことにより、空気調和機１の冷房負荷を軽減する。
【００５９】
通常モードでは、換気量は、基準換気量Ｘよりも大きい所定の値に維持される。
なお、通常モードの換気量については、二酸化炭素濃度に基づいて換気量を設定してもよい。すなわち、二酸化炭素濃度が高い程、換気量を大きい値に設定する。また、設定温度ＴＳと室温ＴＲとの温度差ΔＴＡに基づいて、通常モードの換気量を設定してもよい。例えば、暖房運転では、設定温度ＴＳが室温ＴＲよりも高い場合、設定温度ＴＳと室温ＴＲとの温度差ΔＴＡが大きい程換気量を大きい値に設定する。冷房運転では、設定温度ＴＳが室温ＴＲよりも低い場合、設定温度ＴＳと室温ＴＲとの温度差ΔＴＡが小さい程換気量を大きい値に設定する。
【００６０】
なお、換気量は、給気ファン３１及び排気ファン３２の回転数を制御することにより、設定される。換気量を大きくするときは、給気ファン３１及び排気ファン３２それぞれの回転数をともに増大させる。換気量を小さくするときは、給気ファン３１及び排気ファン３２それぞれの回転数をともに減少させる。
【００６１】
図５を参照して、暖房運転時において抑制モードで使用される換気量設定用のマップの一例について説明する。
抑制モードでは、設定変更後の設定温度ＴＳａと設定変更前の設定温度ＴＳｂとの温度差ΔＴＸが設定値Ｔ１１未満のときは、換気量を「設定値Ｌ」に設定する。また、設定変更後の設定温度ＴＳａと設定変更前の設定温度ＴＳｂとの温度差ΔＴＸが設定値Ｔ１１以上のときは、換気量を「０」に設定する。すなわち、設定温度ＴＳと室温ＴＲとの温度差ΔＴＡの大きさに関らず、抑制モードでは、換気量を基準換気量Ｘよりも小さくする。
【００６２】
図６を参照して、冷房運転時において抑制モードで使用される換気量設定用のマップの一例について説明する。
抑制モードでは、設定変更後の設定温度ＴＳａと設定変更前の設定温度ＴＳｂとの温度差ΔＴＸが設定値Ｔ１２よりも大きいとき、換気量を「設定値Ｌ」に設定する。また、設定変更後の設定温度ＴＳａと設定変更前の設定温度ＴＳｂとの温度差ΔＴＸが設定値Ｔ１２以下のときは、換気量を「０」に設定する。すなわち、設定温度ＴＳと室温ＴＲとの温度差ΔＴＡの大きさに関らず、抑制モードでは換気量を基準換気量Ｘよりも小さくする。
【００６３】
以上のマップによれば、暖房運転時では、設定温度ＴＳと室温ＴＲとの温度差ΔＴＡに関らず設定変更で設定温度ＴＳを大きくする行為に基づいて、換気量を小さくする。冷房運転時では、設定温度ＴＳと室温ＴＲとの温度差ΔＴＡに関らず設定変更で設定温度ＴＳを小さくする行為に基づいて、換気量を小さくする。このため、上記行為により換気が抑制されるため、このような換気抑制を行わない場合に比べて、室温ＴＲが新たに設定された設定温度ＴＳに近づくまでに要する時間が短くなる。
【００６４】
図７を参照して、換気抑制期間を設定するためのマップの一例を説明する。
図７（ａ）は、暖房運転中に用いられるマップを示す。暖房運転中における抑制モードでは、設定変更後の設定温度ＴＳａと設定変更前の設定温度ＴＳｂとの温度差ΔＴＸが大きい程、換気抑制期間の時間を長くする。なお、設定変更後の設定温度ＴＳａと設定変更前の設定温度ＴＳｂとの温度差ΔＴＸが負であるときは、換気装置２は通常モードで換気を行うため、このマップには、設定変更後の設定温度ＴＳａと設定変更前の設定温度ＴＳｂとの温度差ΔＴＸが負であるときの換気抑制期間は設定されていない。
【００６５】
例えば、図７（ａ）に示すように、温度差ΔＴＸが「０」よりも大きく値Ｔ２１以下のときは、換気抑制期間が期間Ｐ１に設定される。温度差ΔＴＸがＴ２１よりも大きく値Ｔ２２以下のときは、換気抑制期間が期間Ｐ２に設定される。温度差ΔＴＸがＴ２２よりも大きく値Ｔ２３以下のときは、換気抑制期間が期間Ｐ３に設定される。温度差ΔＴＸがＴ２３よりも大きく値Ｔ２４以下のときは、換気抑制期間が期間Ｐ４に設定される。温度差ΔＴＸがＴ２４よりも大きく値Ｔ２５以下のときは、換気抑制期間が期間Ｐ５に設定される。
【００６６】
図７（ｂ）は、冷房運転中に用いられるマップを示す。
冷房運転中における抑制モードでは、設定変更後の設定温度ＴＳａと設定変更前の設定温度ＴＳｂとの温度差ΔＴＸが小さい程、換気抑制期間の時間を長くする。なお、設定変更後の設定温度ＴＳａと設定変更前の設定温度ＴＳｂとの温度差ΔＴＸが正であるときは、換気装置２は通常モードで換気を行うため、このマップには、設定変更後の設定温度ＴＳａと設定変更前の設定温度ＴＳｂとの温度差ΔＴＸが正であるときの換気抑制期間は設定されていない。
【００６７】
例えば、図７（ｂ）に示すように、温度差ΔＴＸがＴ３５以上であり値Ｔ３４未満のときは、換気抑制期間が期間Ｐ５に設定される。温度差ΔＴＸがＴ３４以上であり値Ｔ３３未満のときは、換気抑制期間が期間Ｐ４に設定される。温度差ΔＴＸがＴ３３以上であり値Ｔ３２未満のときは、換気抑制期間が期間Ｐ３に設定される。温度差ΔＴＸがＴ３２以上であり値Ｔ３１未満のときは、換気抑制期間が期間Ｐ２に設定される。温度差ΔＴＸがＴ３１以上であり「０」未満のときは、換気抑制期間が期間Ｐ１に設定される。
【００６８】
すなわち、設定温度ＴＳの設定変更により、暖房負荷または冷房負荷の増大幅が大きい程、換気抑制期間の時間を長くする。
ところで、暖房負荷または冷房負荷の増大幅が大きいか否かに関係なく換気抑制期間を一律に設定することも可能である。しかし、この場合、必要以上に換気抑制期間が長くなったり、短くなったりする。換気抑制期間が必要以上の長くなるときは、換気不足になるおそれがある。換気抑制期間が必要以上に短いときは、換気抑制期間の終了時に空気調和機１の負荷が増大し、室温ＴＲが設定温度ＴＳに近づくまでの時間が長くなる。このようなことから、設定温度ＴＳの設定変更による空気調和機１の暖房負荷（または冷房負荷）に応じて換気抑制期間を調整する。これにより、換気不足になること、または室温ＴＲが設定温度ＴＳに近づくまでの時間が長くなるといったことが抑制される。
【００６９】
図８を参照して、設定温度ＴＳの設定変更に基づいて行われる換気抑制の作用について説明する。図８は、暖房運転中における、室温ＴＲ、設定温度ＴＳ、設定温度ＴＳと室温ＴＲとの温度差ΔＴＡ、換気量、及び暖房負荷の時間変化を示す。図８において、実線は本実施形態にかかる「換気設定処理」を実行したときの各パラメータの変化を示し、一点鎖線は、「換気設定処理」を実行しなかったときの各パラメータの変化を示す。
【００７０】
時間ｔ１は、空気調和機１の使用者が設定温度ＴＳを設定変更した時刻を示す。
このとき、設定温度ＴＳの設定変更に基づいて換気量が「設定値Ｈ」から「設定値Ｌ」に設定変更される。この結果、暖房負荷は、換気量を設定変更しない場合に比べて、小さくなる。このような設定（「抑制モード」）による換気は、設定温度ＴＳの設定変更時から換気抑制期間の時間が経過するまで継続される。時間ｔ２は、抑制モードが終了した時刻を示す。換気抑制期間にわたって換気が抑制されるため、その間に、室温ＴＲが設定温度ＴＳに近づくまでにかかる時間は、このような設定を行わない場合に比べて、短い。
【００７１】
本実施形態の空気調和システムによれば、以下の効果を奏する。
（１）本実施形態では、暖房運転中、設定温度ＴＳが設定変更前の設定温度ＴＳｂよりも高くかつ室温ＴＲよりも高い温度に設定変更されるとき、制御部４３は、基準換気量Ｘよりも小さい換気量（設定値Ｌ）で換気抑制期間にわたって換気するように、換気装置２を動作させる。
【００７２】
また、冷房運転中、設定温度ＴＳが設定変更前の設定温度ＴＳｂよりも低くかつ室温ＴＲよりも低い温度に設定変更されるとき、制御部４３は、基準換気量Ｘよりも小さい換気量（設定値Ｌ）で換気抑制期間にわたって換気するように、換気装置２を動作させる。
【００７３】
これにより、空気調和機１の暖房運転中または冷房運転中に、設定変更に起因して室温ＴＲが設定温度ＴＳに近づくまでの時間が長くなるといった事象の発生を抑制することができる。
【００７４】
（２）本実施形態では、暖房運転中、設定温度ＴＳが設定変更前の設定温度ＴＳｂよりも高くかつ室温ＴＲよりも高い温度に設定変更されるとき、制御部４３は、設定変更後の設定温度ＴＳａから設定変更前の設定温度ＴＳｂを引いて得た値が大きい程換気抑制期間を長い時間に設定する。また、冷房運転中、設定温度ＴＳが設定変更前の設定温度ＴＳｂよりも低くかつ室温ＴＲよりも低い温度に設定変更されるとき、制御部４３は、設定変更後の設定温度ＴＳａから設定変更前の設定温度ＴＳｂを引いて得た値が小さい程換気抑制期間を長い時間に設定する。
【００７５】
すなわち、空気調和機１の暖房運転中では、暖房負荷が増大するほど換気抑制期間を長くする。空気調和機１の冷房運転中では、冷房負荷が増大するほど換気抑制期間を長くする。これにより、換気抑制期間が適切に設定されるため、換気抑制期間を負荷に関係なく一律に長い期間設定する場合に比べて、換気不足になることが抑制される。
【００７６】
（第２実施形態）
図９を参照して、空気調和システムの他の実施形態について説明する。
本実施形態の空気調和システムは、第１実施形態の構成に対して次の変更を加えたものとなっている。すなわち、第１実施形態の空気調和システムは、一台の室内ユニット１０を有するものであるが、本空気調和システムは、１台の換気装置２に対して複数台の室内ユニット１０を有する。以下、この空気調和システムについて説明する。なお、なお、上記第１実施形態と共通する構成については同一の符合を付し、また図９から、上記１実施形態と共通する構成の一部の記載を省略している。
【００７７】
空気調和システムは、空気調和機１と換気装置２とを備えている。
空気調和機１と換気装置２は、側壁５１や天井壁５０により仕切られた領域Ｓに対して設けられる。空気調和機１は、この領域Ｓの温度調整を行い、換気装置２はこの領域Ｓの換気を行う。空気調和機１は、複数台の室内ユニット１０と、これら室内ユニット１０に接続される室外ユニット２０とを備える。
【００７８】
室内ユニット１０のそれぞれは、設定温度ＴＳを設定するためのリモートコントローラ１６を有する。したがって、それぞれの室内ユニット１０は、独立して、領域Ｓの空気調和を行う。
【００７９】
通信装置４２は、通信制御する制御部４３と、この制御部４３と換気装置２の換気制御装置３６とを接続する通信回線４４とを備えている。
通信装置４２は、室内ユニット１０と換気装置２との間で行なわれる情報交換を制御する。
【００８０】
制御部４３は、空気調和機１から出力される設定情報及び温度情報を取得し、これら情報に基づいて所定の判定を行う。そして、この判定に基づいて換気装置２を制御するための制御信号を形成し、この制御信号を換気装置２に送信する。
【００８１】
制御部４３は、次のように動作する。
制御部４３は、所定周期毎に、室内ユニット１０のそれぞれから、所定周期の始期の設定温度（以下、「始期設定温度ＴＳｓ」）と、所定周期の終期の設定温度（以下、「終期設定温度ＴＳｅ」）とを取得し、制御部４３内の記憶部に設定する。そして、終期設定温度ＴＳｅから始期設定温度ＴＳｓを引いて得られる値を求め、この値を設定温度変化量ΔＴＹとして記憶する。また、室内ユニット１０のそれぞれから室温ＴＲを取得し、これら室温ＴＲの平均を平均室温ＴＲａとして算出する。なお、始期設定温度ＴＳｓ、終期設定温度ＴＳｅ、設定温度変化量ΔＴＹ、及び平均室温ＴＲａは、室内ユニット１０のそれぞれに対して求められる。
【００８２】
暖房運転中は、次に示すように、制御部４３は、各室内ユニット１０について求められた設定温度変化量ΔＴＹに基づいて、換気装置２を制御する。
第１に、室内ユニット１０のそれぞれについての設定温度変化量ΔＴＹの総和が第１判定値（正の値）よりも大きいか否かを判定する。そして、これら室内ユニット１０のそれぞれについての設定温度変化量ΔＴＹの総和が第１判定値（正の値）よりも大きいと判定するときは、肯定判定の旨を出力する。これら室内ユニット１０のそれぞれについての設定温度変化量ΔＴＹの総和が第１判定値（正の値）以下のときは、否定判定を出力する。
【００８３】
第２に、終期設定温度ＴＳｅの平均値が平均室温ＴＲａよりも高いか否かを判定する。そして、所定周期の終期設定温度ＴＳｅの平均値が、平均室温ＴＲａよりも高いと判定するときは、肯定判定を出力する。終期設定温度ＴＳｅの平均値が平均室温ＴＲａ以下と判定するときは、否定判定を出力する。
【００８４】
そして、第１及び第２の判定においてともに肯定判定されるとき、制御部４３は、基準換気量Ｘよりも小さい換気量（設定値Ｌ）で換気抑制期間にわたって換気するように、換気装置２を動作させる。換気抑制期間については、設定温度変化量ΔＴＹが大きい程、換気抑制期間を長い時間に設定する。
【００８５】
冷房運転中は、次に示すように、制御部４３は、各室内ユニット１０について求められた設定温度変化量ΔＴＹに基づいて、換気装置２を制御する。
第１に、室内ユニット１０のそれぞれについての設定温度変化量ΔＴＹの総和が第２判定値（負の値）よりも小さいか否かを判定する。そして、これら室内ユニット１０のそれぞれについての設定温度変化量ΔＴＹの総和が第２判定値（負の値）よりも小さいと判定するときは、肯定判定の旨を出力する。これら室内ユニット１０のそれぞれについての設定温度変化量ΔＴＹの総和が第２判定値（負の値）以上のときは、否定判定を出力する。
【００８６】
第２に、終期設定温度ＴＳｅの平均値が平均室温ＴＲａよりも低いか否かを判定する。そして、所定周期の終期設定温度ＴＳｅの平均値が、平均室温ＴＲａよりも低いと判定するときは、肯定判定を出力する。終期設定温度ＴＳｅの平均値が平均室温ＴＲａ以上と判定するときは、否定判定の旨を出力する。
【００８７】
そして、第１及び第２の判定においてともに肯定判定されるとき、制御部４３は、基準換気量Ｘよりも小さい換気量（設定値Ｌ）で換気抑制期間にわたって換気するように、換気装置２を動作させる。換気抑制期間については、設定温度変化量ΔＴＹが小さい程、換気抑制期間を長い時間に設定する。
【００８８】
本実施形態に係る空気調和システムの作用を説明する。
室内ユニット１０のそれぞれは独立して動作するため、これらの室内ユニット１０のうちから換気装置２と連動させる装置を一台選択し、選択した室内ユニット１０と換気装置２とを連動させて換気抑制を実行させることが可能である。しかし、換気抑制の効果が生じないときがある。
【００８９】
そこで、上記のように、上記設定温度変化量ΔＴＹや終期設定温度ＴＳｅの平均値に基づいて、換気量を抑制するか否かを判定する。これにより、個々のリモートコントローラ１６において独立して設定温度ＴＳの設定変更されることにより様々な大きさで発生する空調負荷が過大であるか否かを適切に判定することができる。これにより、複数台の室内ユニット１０を有する空気調和システムにおいて換気抑制効果を奏させることができる。
【００９０】
本実施形態の空気調和システムによれば、以下の効果を奏する。
（１）本実施形態では、所定周期毎に、室内ユニット１０のそれぞれについて、所定周期の終期設定温度ＴＳｅから始期設定温度ＴＳｓを引いて得られる値を設定温度変化量ΔＴＹとして設定する。そして、この設定温度変化量ΔＴＹの総和や終期設定温度ＴＳｅの平均値に基づいて、換気量を抑制するか否かを判定する。これにより、設定温度ＴＳの設定変更に起因して室温ＴＲが設定温度ＴＳに近づくまでの時間が長くなるといった事象の発生を抑制する確度を高くすることができる。
【００９１】
（２）本実施形態では、空気調和機１の暖房運転中では、暖房負荷が増大するほど換気抑制期間を長くする。空気調和機１の冷房運転中では、冷房負荷が増大するほど換気抑制期間を長くする。すなわち、暖房負荷または冷房負荷の大きさに応じて換気抑制期間が適切に設定されるため、換気抑制期間を負荷に関係なく一律に長い期間設定する場合に比べて、換気量の低減を少なくすることができる。
【００９２】
（第３実施形態）
図１０を参照して、空気調和システムの他の実施形態について説明する。
本実施形態の空気調和システムは、第２実施形態の構成に対して次の変更を加えたものとなっている。すなわち、第２実施形態の空気調和システムは、１つの領域Ｓに室内ユニット１０を複数台設置するものであるが、本実施形態の空気調和システムは、壁で仕切られた領域Ｓ１，Ｓ２のそれぞれに室内ユニット１０を１台ずつ設置するものである。以下、この空気調和システムについて説明する。なお、なお、上記第１実施形態と共通する構成については同一の符合を付してその説明を省略する。
【００９３】
空気調和システムは、空気調和機１と換気装置２とを備えている。
空気調和機１と換気装置２は、側壁５１や天井壁５０により仕切られた領域Ｓ１，Ｓ２に対して設けられる。空気調和機１は、この領域Ｓ１，Ｓ２の温度調整を行い、換気装置２はこの領域Ｓ１，Ｓ２の換気を行う。
【００９４】
通信装置４２は、複数台の室内ユニット１０と換気装置２との間で行なわれる情報交換を制御する。
通信装置４２は、通信制御する制御部４３と、この制御部４３と換気装置２の換気制御装置３６とを接続する通信回線４４とを備えている。制御部４３は、所定周期毎に室内ユニット１０のそれぞれについて設定温度ＴＳの変化の有無を検出する。
【００９５】
制御部４３は、暖房運転中、次のように動作する。
第１に、これら室内ユニット１０のうち半数以上の室内ユニット１０について、同周期に、設定温度ＴＳが設定変更前の設定温度ＴＳｂよりも高い温度に設定変更されているか否かを判定する。第２に、所定周期の終期設定温度ＴＳｅの平均値が始期設定温度ＴＳｓの平均値よりも高いか否かを判定する。
【００９６】
そして、第１及び第２の判定がともに肯定判定されるとき、制御部４３は、基準換気量Ｘよりも小さい換気量（設定値Ｌ）で換気抑制期間にわたって換気するように、換気装置２を動作させる。
【００９７】
制御部４３は、冷房運転中、次のように動作する。
第１に、これら室内ユニット１０のうち半数以上の室内ユニット１０について、同周期に、設定温度ＴＳが設定変更前の設定温度ＴＳｂよりも低い温度に設定変更されているか否かを判定する。第２に、所定周期の終期設定温度ＴＳｅの平均値が始期設定温度ＴＳｓの平均値よりも低いか否かを判定する。
【００９８】
そして、第１及び第２の判定がともに肯定判定されるとき、制御部４３は、基準換気量Ｘよりも小さい換気量（設定値Ｌ）で換気抑制期間にわたって換気するように、換気装置２を動作させる。
【００９９】
本実施形態に係る空気調和システムの作用は次の通りである。
この空気調和システムでは、所定周期毎に室内ユニット１０のそれぞれについて設定温度ＴＳの変化の有無を検出し、これら室内ユニット１０のうち半数以上の室内ユニット１０について、同周期に、設定温度ＴＳが設定変更前の設定温度ＴＳｂよりも高い温度（または低い温度）に設定変更されることに基づいて、換気を抑制するか否かを判定する。このような方法では、個々の室内ユニット１０において独立して設定温度ＴＳの設定変更されることにより様々な大きさで発生する空調負荷に対し、空調負荷が過大か否かについて適切に判定することができる。
【０１００】
本実施形態の空気調和システムによれば、以下の効果を奏する。
（１）上記構成によれば、個々の室内ユニット１０において独立して設定温度ＴＳの設定変更されることにより様々な大きさで発生する空調負荷に対し、空調負荷が過大か否かについて適切に判定することができる。このため、これら設定温度ＴＳの設定変更に起因して室温ＴＲが設定温度ＴＳに近づくまでの時間が長くなるといった事象の発生を抑制する確度を高くすることができる。
【０１０１】
（変形例）
なお、本技術の実施態様は上記に示した態様に限られるものではなく、これを例えば以下に示すように変更して実施することもできる。また以下の各変形例は、上記各実施形態についてのみ適用されるものではなく、異なる変形例同士を互いに組み合わせて実施することもできる。
【０１０２】
・上記第３実施形態では、複数台の室内ユニット１０のうちで設定変更前の設定温度ＴＳｂよりも設定温度ＴＳを高くまたは低くする台数を求め、この台数が半数以上のときに換気抑制制御を実行するが、この技術を第２実施形態に記載の空気調和システムに適用することもできる。また、第２実施形態では、複数台の室内ユニット１０において設定温度変化量ΔＴＹを求める。そして、これら設定温度変化量ΔＴＹの総和が判定値（第１判定値または第２判定値）よりも大きいか否かに基づいて換気抑制を実行するか否かを判定するが、この技術を第３実施形態に記載の空気調和システムに適用してもよい。
【０１０３】
・第１実施形態では、換気を抑制するとき、すなわち、抑制モードで換気を行うときは、図５，図６に示すマップを用いるが、抑制モードにおける換気量の設定はこれに限定されない。例えば、換気を抑制する旨の判定が行われたとき、換気を停止する制御を行ってもよい。また、室外空気の供給を停止し、室内空気の排気を行う制御（室内を負圧にする制御）を行ってもよい。このような制御によっても、上記第１実施形態の（１）の効果を得ることができる。
【０１０４】
・上記各実施形態では、換気装置２に制御部４３を設けているが、制御部４３の配置はこれに限定されない。すなわち、制御部４３は、空気調和システム内に存在すればよい。例えば、室内ユニット１０または室外ユニット２０内に設けてもよい。
【０１０５】
・上記各実施形態では、抑制モードで換気を実行しているとき、この換気抑制制御の制限については特に言及していないが、抑制モードを禁止する制御を行うこともできる。例えば、二酸化炭素センサ３５の出力値が高いとき、抑制モードであるか通常モードであるかに関らず、換気を促進するように構成してもよい。この場合、領域Ｓの二酸化炭素濃度の上昇を抑制することができる。
【０１０６】
・上記各実施形態では、抑制モードを実行するか否かを判定するための基準換気量Ｘを、暖房運転時及び冷房運転時のそれぞれにおいて同じ値を用いているが、それぞれの運転において異なる値を用いることが好ましい。また、空気調和システムの機種別に、基準換気量Ｘの値を設定することが好ましい。
【符号の説明】
【０１０７】
１…空気調和機、２…換気装置、１０…室内ユニット、１１…膨張弁、１２…室内側熱交換器、１３…室内ファン、１４…温度センサ、１５…室内ユニット制御装置、１６…リモートコントローラ、１７…筐体、１７ａ…吸込口、１７ｂ…吹出口、２０…室外ユニット、２１…圧縮機、２２…室外側熱交換器、２３…室外ファン、２４…四路切換弁、２５…室外ユニット制御装置、２６…油分離器、２７…筐体、３０…全熱交換器、３１…給気ファン、３２…排気ファン、３３…筐体、３３ａ…外気吸入口、３３ｂ…外気給気口、３３ｃ…内気吸入口、３３ｄ…内気排気口、３４ａ…外気吸入管、３４ｂ…供給管、３４ｃ…内気吸入管、３４ｄ…排気管、３５…二酸化炭素センサ、３６…換気制御装置、４１…冷媒配管、４２…通信装置、４３…制御部、４４…通信回線、５０…天井壁、５１…側壁。
【図１】
2014149139.tif 000003
【図２】
2014149139.tif 000004
【図３】
2014149139.tif 000005
【図４】
2014149139.tif 000006
【図５】
2014149139.tif 000007
【図６】
2014149139.tif 000008
【図７】
2014149139.tif 000009
【図８】
2014149139.tif 000010
【図９】
2014149139.tif 000011
【図１０】
2014149139.tif 000012